(57)【要約】【課題】２つのシート部を折り重ねて封止した封止状態を解除するのに適した、開封性に優れた開封構造、及びこの開封構造を備えたケースを提供する。【解決手段】第１シート部４に、第１の区分６と、第２の区分８と、第１の区分６と第２の区分８とを区切る境界線上においてミシン目状に配置された複数の開封用の切り込み２０と、を設け、第１の折り目１４を介して第１シート部４に連ねて設けられ且つ第１シート部４の裏面に折り重ねられて部分的に接着された第２シート部１０に、前記第１の区分６と前記第２の区分８とを切り離しながら第２シート部１０を折り曲げるための第２の折り目１６を、前記開封用の切り込み２０に沿って配置する。【選択図】図６
2011126547.tif 000002
【特許請求の範囲】
【請求項１】
第１の区分と、第２の区分と、第１の区分と第２の区分とを区切る境界線上においてミシン目状に配置された複数の開封用の切り込みと、を有する第１シート部と、
第１の折り目を介して第１シート部に連ねて設けられ、且つ、第１シート部の裏面に折り重ねられて部分的に接着された第２シート部と、を備え、
第２シート部において、前記第１の区分と前記第２の区分とを切り離しながら第２シート部を折り曲げるための第２の折り目が、前記開封用の切り込みに沿って配置されていることを特徴とする開封構造。
【請求項２】
前記第１の区分または前記第２の区分の少なくとも一方に、前記第１の区分と前記第２の区分との切り離しを容易にするための開封補助用の切り込みが設けられ、
該開封補助用の切り込みは、前記開封用の切り込みの端部に連ねて形成されていることを特徴とする請求項１に記載の開封構造。
【請求項３】
前記複数の開封用の切り込みは、所定の仮想直線に沿って延びる複数の直線状の切り込みと、前記仮想直線上の２点を結ぶ曲線に沿って延びる部分を有する曲線状の切り込みと、を含み、
前記第２の折り目は、前記複数の直線状の切り込みに沿って配置されていることを特徴とする請求項１または２に記載の開封構造。
【請求項４】
前記第２の折り目に、該第２の折り目に沿った第２シート部の折り曲げを容易にするための切り込みが設けられていることを特徴とする請求項１〜３のいずれかに記載の開封構造。
【請求項５】
前記第１の区分と第２シート部とは、少なくとも、前記第１の区分と第２シート部との間に扁平な収容物を収容するための収容部と、前記第１の区分と前記第２の区分とが切り離された状態で前記収容部から前記収容物を取り出すための取り出し口と、を残すようにして接着されていることを特徴とする請求項１〜４のいずれかに記載の開封構造。
【請求項６】
前記第１の区分に、前記収容部に収容された前記収容物を第１シート部の表面側から視認可能にするための窓部が設けられていることを特徴とする請求項５に記載の開封構造。
【請求項７】
第３の折り目を介して第２シート部に連ねて設けられ、第１シート部の表面に折り重ねられることで前記開封用の切り込みを覆う第３シート部を備え、
第１シート部に、第１シート部の表面に第３シート部が折り重ねられた状態で第３シート部における前記第３の折り目とは反対側の端部を係止するための切り込みが設けられていることを特徴とする請求項１〜６のいずれかに記載の開封構造。
【請求項８】
請求項１〜７のいずれかに記載の開封構造を備え、
前記第１の区分と第２シート部との間に、扁平な収容物を収容するための収容部を有することを特徴とする開封構造を備えたケース。
【発明の詳細な説明】
【技術分野】
【０００１】
本発明は、折り重ねられた２つのシート部の封止状態を解除するための開封構造、及びこの開封構造を備えたケースに関する。
【背景技術】
【０００２】
例えば特許文献１に開示されているように、紙箱や封筒等に設けられる開封構造として、複数の切り込みをミシン目状に配置する構造が知られている。この種の開封構造では、切り込みを挟む両側部分を切り込みに沿って切り離すことで、開封を容易に行うことができる。
【先行技術文献】
【特許文献】
【０００３】
【特許文献１】特開２００９−１１３８３５号公報
【発明の概要】
【発明が解決しようとする課題】
【０００４】
ところで、扁平な収容物、又は、隠蔽情報が記載された印刷面などを封入するために、２つのシート部を折り重ねて封止することがある。このような２つのシート部の封止状態を解除するためにも、上述のようにミシン目状の切り込みを有する開封構造が採用されることがある。例えば、封止された２つのシート部のうちの一方のシート部に、ミシン目状の切り込みからなる２列の切取線を平行に設ける構造が採用される場合があり、この場合、２列の切取線に挟まれた帯状の切り取り部を切り取ることで、容易に開封することができる。
【０００５】
このように、従来、上記のような２つのシート部の封止状態を解除するために採用される開封構造は、紙箱等にも採用される一般的な開封構造のみであり、２つのシート部を折り重ねて封止するという特殊な封止状態に応じた特別な開封構造は知られていない。
【０００６】
そこで、本発明は、２つのシート部を折り重ねて封止した封止状態を解除するのに適した、開封性に優れた開封構造、及びこの開封構造を備えたケースを提供することを、基本的な目的とする。
【課題を解決するための手段】
【０００７】
上記課題を解決するため、本発明に係る開封構造は、
第１の区分と、第２の区分と、第１の区分と第２の区分とを区切る境界線上においてミシン目状に配置された複数の開封用の切り込みと、を有する第１シート部と、
第１の折り目を介して第１シート部に連ねて設けられ、且つ、第１シート部の裏面に折り重ねられて部分的に接着された第２シート部と、を備え、
第２シート部において、前記第１の区分と前記第２の区分とを切り離しながら第２シート部を折り曲げるための第２の折り目が、前記開封用の切り込みに沿って配置されていることを特徴とする。
【０００８】
また、本発明に係る開封構造を備えたケースは、上記の開封構造を備え、前記第１の区分と第２シート部との間に、扁平な収容物を収容するための収容部を有することを特徴とする。
【発明の効果】
【０００９】
本発明によれば、第１シート部の裏面に折り重ねられて部分的に接着された第２シート部に、第１シート部の開封用の切り込みに沿って第２の折り目が設けられているため、第１シート部の表面側から見て山折りとなるように第２シート部を第２の折り目に沿って折り曲げるだけで、第１シート部の第１の区分と第２の区分とが開封用の切り込みに沿って切り離されるため、極めて簡易に開封することができる。
【図面の簡単な説明】
【００１０】
【図１】本発明の一実施形態に係る開封構造を備えたケースを示す斜視図である。
【図２】図１に示すケースの製作に用いるシートを示す図である。
【図３】図２のシートの第１シート部を拡大して示す拡大図である。
【図４】ケースの製作手順を示す斜視図である。
【図５】第３シート部を閉じた状態のケースを示す斜視図である。
【図６】ケースの開封方法を示す斜視図である。
【図７】開封後のケースを示す斜視図である。
【発明を実施するための形態】
【００１１】
以下、添付図面を参照して本発明の好適な実施形態を説明する。なお、以下の説明では、特定の方向を意味する用語（例えば、「上」、「下」、「左」、「右」、およびそれらを含む他の用語）を使用するが、それらの使用は図面を参照した発明の理解を容易にするためであって、それらの用語の意味によって本発明は限定的に解釈されるべきものでない。また、以下の説明において、同一又は類似の構成部分には同一の符号を用いている。
【００１２】
図１は、本実施形態に係る開封構造を備えたケース１を示す。
【００１３】
ケース１は、帯状のシート２の折り曲げ及び接着により形成されている。シート２は、第１シート部４と第２シート部１０と第３シート部１２とを備えている。第２シート部１０は、第１シート部４の裏面に折り重ねられて接着されており、第１シート部４と第２シート部１０との間には後述の収容部４８が形成されている。第３シート部１２は、第１シート部４の表面に折り重ね可能であり、後述の開封用の切り込み２０（２０ａ，２０ｂ）を覆う蓋部として機能する。
【００１４】
図２は、シート２の裏面を示している。
【００１５】
図２に示すように、第１シート部４、第２シート部１０及び第３シート部１２は、折り目１４，１８を介して下から順に連ねて設けられている。第１〜第３のシート部４，１０，１２の各形状は例えば略矩形とされているが、本発明において、各シート部４，１０，１２の形状は特に限定されるものでない。
【００１６】
第１シート部４は、下側に配置された第１の区分６と、上側に配置された第２の区分８とに区分されている。第１の区分６と第２の区分８の形状はいずれも矩形であり、第１の区分６は、第２の区分８に比べて上下方向に長く形成されている。
【００１７】
第１の区分６と第２の区分８とを区切る境界線上には、ミシン目状に配置された複数の開封用の切り込み２０（２０ａ，２０ｂ）が設けられている。
【００１８】
図３に示すように、開封用の切り込み２０は、直線状の切り込み２０ａと曲線状の切り込み２０ｂとを有する。曲線状の切り込み２０ｂは、第１シート部４における左右方向中央部に設けられ、直線状の切り込み２０ａは、曲線状の切り込み２０ｂの左右両側にそれぞれ複数設けられている。各直線状の切り込み２０ａは、左右方向に延びる仮想直線Ｌに沿って形成されている。
【００１９】
曲線状の切り込み２０ｂは、仮想直線Ｌ上の２点を結ぶ曲線に沿って延びる曲線部５０と、曲線部５０の左端から仮想直線Ｌに沿って左側へ延びる左側直線部５２と、曲線部５０の右端から仮想直線Ｌに沿って右側へ延びる右側直線部５４と、を有する。曲線部５０は、第２の区分８側から第１の区分６側に向かって膨出するような略円弧状に形成されている。かかる曲線部５０の形状により、第１の区分６には曲線部５０に沿った凹入部４２が形成され、第２の区分８には曲線部５０に沿った膨出部４４が形成されている。
【００２０】
第１の区分６には、第１の区分６と第２の区分８との切り離しを更に容易にするための複数の開封補助用の切り込み２２が設けられている。各開封補助用の切り込み２２は、開封用の直線状の切り込み２２ａの端部に連ねて形成されている。具体的に説明すると、曲線状の切り込み２０ｂよりも左側の部分において、開封補助用の切り込み２２は、開封用の切り込み２０ａの右端部から右下方へ延びるように直線状に形成されており、曲線状の切り込み２０ｂよりも右側の部分において、開封補助用の切り込み２２は、開封用の切り込み２０ａの左端部から左下方へ延びるように直線状に形成されている。
【００２１】
第１の区分６の下縁部、左縁部および右縁部にはそれぞれ、第１の区分６と第２シート部１０とを接着するためのシール部３０，３２，３４が設けられている。これにより、図１に示す状態、すなわち、後述のようにシート２が折り曲げられ且つシール部３０，３２，３４において第１の区分６と第２シート部１０とが接着された状態において、第１の区分６と第２シート部１０との間におけるシール部３０，３２，３４で囲まれる部分に収容部４８が形成される。収容部４８は、扁平な収容物６０を収容するためのものであり、例えば、薬剤入りの小袋等を収容部４８に収容することが可能である。また、第１の区分６の上縁部は第２シート部１０に接着されない。そのため、図７に示すように、開封後において、第１の区分６の上縁部と第２シート部１０との間には、収容部４８から収容物６０を取り出すための取り出し口４９が形成される。
【００２２】
図３に戻って、第１の区分６の中央部には、収容部４８に収容された収容物６０を第１シート部４の表面側から視認可能にするための窓部２６が設けられている。窓部２６は、例えば略矩形に形成されているが、窓部２６の形状及び大きさは、収容物６０の通過を規制可能なものであればよく、これにより、収容部４８における収容物６０の収容状態を確実に維持することができる。
【００２３】
第２の区分８の下縁部には、第２の区分８と第２シート部１０とを接着するためのシール部３６が、開封用の切り込み２０に沿うようにして設けられている。第２の区分８の中央部には、第３シート部１２を係止するための係止用の切り込み２４が設けられている。係止用の切り込み２４は例えば略半円状に形成されている。図５に示すように、係止用の切り込み２４に、第１シート部４の表面に折り重ねられた第３シート部１２の端部が差し込まれると、第３シート部１２の端部が第１シート部４に係止され、第１シート部４の表面に第３シート部１２が折り重ねられた状態、すなわち、開封用の切り込み２０が第３シート部１２により覆われた状態が維持される。
【００２４】
図２に戻って、第２シート部１０は、折り目１４を介して第１シート部４の第２の区分８に連ねて設けられている。第２シート部１０は、第１シート部４に比べて上下方向に僅かに長く形成されており（図１参照）、これにより、第１シート部４の裏面に第２シート部１０を折り重ねた状態において第２シート部１０と第３シート部１２との間の折り目１８が第１シート部４に干渉することが回避されている。
【００２５】
第２シート部１０の中央やや下側部分には、第１シート部４の第１の区分６と第２の区分８とを切り離しながら第２シート部１０を折り曲げるための切り離し用の折り目１６が設けられている。具体的に、切り離し用の折り目１６は、第２シート部１０の下端から切り離し用の折り目１６までの距離が、第１シート部４の上端から開封用の直線状の切り込み２０ａまでの距離に等しくなるように配置されている。これにより、第２の折り目１６は、第１シート部４の裏面に第２シート部１０が折り重ねられた状態において直線状の切り込み２０ａと曲線状の切り込み２０ｂの直線部５２，５４とに沿って配置される。
【００２６】
切り離し用の折り目１６には、この折り目１６に沿った第２シート部１０の折り曲げを容易にするための複数の切り込み４０が間隔を空けて設けられており、各切り込み４０は、切り離し用の折り目１６に沿って形成されている。これにより、切り離し用の折り目１６に沿った第２シート部１０の折り曲げを容易に行うことができる。
【００２７】
第３シート部１２は、折り目１８を介して第２シート部１０に連ねて設けられている。第３シート部１２の上下方向の幅は、第１シート部４の表面に折り重ねられた状態の第３シート部１２の端部が第１シート部４の係止用切り込み２４に差し込み可能な長さになっている。
【００２８】
図４は、シート２を用いてケース１を製作する手順を示す。ケース１を製作する際は、先ず、第２シート部１０の裏面に収容物６０を載置する。続いて、折り目１４に沿って谷折りとなるように第１シート部４を折り曲げ、上述のシール部３０，３２，３４，３６において第１シート部４と第２シート部１０とが互いに接着されるように、第２シート部１０の裏面に第１シート部４を折り重ねる。これにより、第１シート部４の第１の区分６と第２シート部１０とは、収容部４８と取り出し口１９とを残すようにして接着され、第１シート部４の第２の区分８と第２シート部１０とは切り離し用の折り目１６に沿った部分において接着される。かかる手順により、第１シート部４の第１の区分６と第２シート部１０との間に収容物６０が封入され、ケース１が完成する（図１参照）。
【００２９】
図１に示すケース１の完成状態において、折り目１８に沿って谷折りとなるように第３シート部１２を折り曲げ、第１シート部４の表面に第３シート部１２を折り重ねると、開封用の切り込み２０を第３シート部１２により覆うことができる。さらに、図５に示すように、第３シート部１２の端部を係止用の切り込み２４に差し込むことで、第３シート部１２により開封用の切り込み２０が覆われた状態を維持することができる。よって、第３シート部１２により開封用の切り込み２０を確実に保護することができ、ケース１が誤って開封されてしまうことを防止することができる。
【００３０】
図６は、ケース１の開封方法を示す。ケース１の開封は、第３シート部１２を開いた状態で、切り離し用の折り目１６に沿って第１シート部４の表面側から見て山折りとなるように第２シート部１０を折り曲げることで行う。この折り曲げにより、第１シート部４には、第１の区分６と第２の区分８とを互いに引き離す方向の力が作用し、開封用の切り込み２０に沿って第１の区分６と第２の区分８とが切り離される。
【００３１】
このとき、開封用の直線状の切り込み２０ａの端部には開封補助用の切り込み２２が連ねて設けられているため、第１の区分６と第２の区分８との切り離しを容易に行うことができる。また、切り離し用の折り目１６に切り込み４０が設けられていることにより、切り離し用の折り目１６に沿った折り曲げが容易となっているため、第１の区分６と第２の区分８との切り離しが一層容易となっている。また、このとき、第１シート部４の第２の区分８の膨出部４４が、第２シート部１０の折り曲げ部分により押し込まれることによって、第２の区分８を第１の区分６から引き離す方向の力が増大されるため、第１の区分６と第２の区分８との切り離しがより一層容易となっている。さらに、第２の区分８と第２シート部１０とは切り離し用の折り目１６に沿った部分において接着されているため、第２シート部１０の折り曲げに対して第２の区分８が確実に追従するため、確実な切り離しを行うことができる。
【００３２】
図７は、ケース１が開封された後、第２シート部１０が図６に示す折り曲げ状態から元の状態に戻され、収容部４８から収容物６０が取り出される状態を示す。開封後のケース１を図７に示す状態とすることで、第１シート部４と第２シート部１０との切り離し部に形成された取り出し口４９を通して、収容物６０を取り出すことができる。このとき、第１シート部４の第１の区分６には凹入部４２が形成されているため、この凹入部４２を通して使用者の指を収容部４８に差し入れやすくなっており、収容物６０の取り出しが容易となっている。
【００３３】
以上、上述の実施形態を挙げて本発明を説明したが、本発明は上述の実施形態に限定されるものではない。
【００３４】
例えば、上述の実施形態では、開封補助用の切り込み２２を第１の区分６に設ける構成について説明したが、本発明は第２の区分８に開封補助用の切り込み２２を設けることを妨げるものでない。
【符号の説明】
【００３５】
１：ケース、２：シート、４：第１シート部、６：第１の区分、８：第２の区分、１０：第２シート部、１２：第３シート部、１４：第１の折り目、１６：第２の折り目、１８：第３の折り目、２０ａ：開封用の直線状の切り込み、２０ｂ：開封用の曲線状の切り込み、２２：開封補助用の切り込み、２４：第３シート部係止用の切り込み、２６：窓部、３０，３２，３４，３６：シール部、４０：第２の折り目の切り込み、６０：収容物。
【図１】
2011126547.tif 000003
【図２】
2011126547.tif 000004
【図３】
2011126547.tif 000005
【図４】
2011126547.tif 000006
【図５】
2011126547.tif 000007
【図６】
2011126547.tif 000008
【図７】
2011126547.tif 000009
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
第１の区分と、第２の区分と、第１の区分と第２の区分とを区切る境界線上においてミシン目状に配置された複数の開封用の切り込みと、を有する第１シート部と、
第１の折り目を介して第１シート部の第２の区分に連ねて設けられ、且つ、第１シート部の裏面に折り重ねられた第２シート部と、を備え、
該第２シート部は、少なくとも、該第２シート部と第１シート部の第１の区分との間に扁平な収容物を収容するための収容部と、第１シート部の第１の区分と第２の区分とが切り離された状態で前記収容部から前記収容物を取り出すための取り出し口と、を残すようにして第１シート部の裏面に接着され
第２シート部において、第１の区分と第２の区分とを切り離しながら第２シート部を折り曲げるための直線状の第２の折り目が設けられ、
前記複数の開封用の切り込みは、第２の折り目に重なるように所定の仮想直線に沿って延びる直線部と、第１の区分側に張り出すように湾曲しながら前記仮想直線上の２点を結ぶ曲線部と、を備え、
第１シート部の第２の区分には、第２の折り目に沿った第２シート部の折り曲げ部分が押し当てられる膨出部が、前記曲線部を輪郭として形成されていることを特徴とするケース。
【請求項２】
前記第１の区分または前記第２の区分の少なくとも一方に、前記第１の区分と前記第２の区分との切り離しを容易にするための開封補助用の切り込みが設けられ、
該開封補助用の切り込みは、前記開封用の切り込みの端部に連ねて形成されていることを特徴とする請求項１に記載のケース。
【請求項３】
前記第２の折り目に、該第２の折り目に沿った第２シート部の折り曲げを容易にするための切り込みが設けられていることを特徴とする請求項１または２に記載のケース。
【請求項４】
前記第１の区分に、前記収容部に収容された前記収容物を第１シート部の表面側から視認可能にするための窓部が設けられていることを特徴とする請求項１〜３のいずれかに記載のケース。
【請求項５】
第３の折り目を介して第２シート部に連ねて設けられ、第１シート部の表面に折り重ね可能な第３シート部を備え、
第１シート部の第２の区分に、第１シート部の表面に第３シート部が折り重ねられた状態で第３シート部における前記第３の折り目とは反対側の端部を係止するための切り込みが設けられていることを特徴とする請求項１〜４のいずれかに記載のケース。
【手続補正３】
【補正対象書類名】明細書
【補正対象項目名】０００７
【補正方法】変更
【補正の内容】
【０００７】
上記課題を解決するため、本発明に係るケースは、
第１の区分と、第２の区分と、第１の区分と第２の区分とを区切る境界線上においてミシン目状に配置された複数の開封用の切り込みと、を有する第１シート部と、
第１の折り目を介して第１シート部の第２の区分に連ねて設けられ、且つ、第１シート部の裏面に折り重ねられた第２シート部と、を備え、
該第２シート部は、少なくとも、該第２シート部と第１シート部の第１の区分との間に扁平な収容物を収容するための収容部と、第１シート部の第１の区分と第２の区分とが切り離された状態で前記収容部から前記収容物を取り出すための取り出し口と、を残すようにして第１シート部の裏面に接着され
第２シート部において、第１の区分と第２の区分とを切り離しながら第２シート部を折り曲げるための直線状の第２の折り目が設けられ、
前記複数の開封用の切り込みは、第２の折り目に重なるように所定の仮想直線に沿って延びる直線部と、第１の区分側に張り出すように湾曲しながら前記仮想直線上の２点を結ぶ曲線部と、を備え、
第１シート部の第２の区分には、第２の折り目に沿った第２シート部の折り曲げ部分が押し当てられる膨出部が、前記曲線部を輪郭として形成されていることを特徴とする。
【手続補正４】
【補正対象書類名】明細書
【補正対象項目名】０００８
【補正方法】削除
【補正の内容】